(57)【要約】【課題】本発明はノートパソコン放熱器を開示した。【解決手段】スタンドを含み、前記スタンドの左右両端には手温め器が対称的で固定的に連結され、使用する時に前記モータを始動し、それにより前記貫通軸、前記プーリと前記ファンを回転連動させ、熱風を前記フイルターを下へ吸い出し、本装置はパソコンの温度を下げられると同時に、パソコンが生じた熱量を収集し、少し加熱して温かい風にし、それにより上記の手を温め、それで冬でパソコンを使う時に手が冷たく感じなく、また本装置はエネルギーを節約し、エネルギーを合理的に利用できる。【選択図】図１
2020184286.tif 000002
【特許請求の範囲】
【請求項１】
正面視で、スタンドを含み、前記スタンドの左右両端には手温め器が対称的で固定的に連結され、前記スタンドの中には伝動チャンバが設置され、前記伝動チャンバの上端にはファンチャンバが左右対称的に設置され、前記ファンチャンバと前記伝動チャンバとの間には冷却装置が設置され、前記冷却装置はノートパソコンの温度を下げることができ、すべての前記ファンチャンバの下端にはいずれも空気室が設置され、前記空気室と前記ファンチャンバとの間には四つの連通溝が連結され、前記空気室の一つの端壁には前記スタンドを貫通しているダクトが設置され、前記手温め器の中には前記ダクトと連通している吸気口が設置され、前記吸気口の外周には電熱線が巻き付いており、前記吸気口の上端壁には駆動チャンバが設置され、前記駆動チャンバの中には押し板がスライドできるように連結され、前記押し板と前記駆動チャンバの上端壁との間には大ばねが連結され、前記押し板の下端面にはパイプが固定的に設置され、前記パイプの下端面には固定板が固定的に設置され、前記固定板の下端面には連結板が固定的に設置され、前記駆動チャンバの上端壁には前記連結板とスライドできるように連結される当接板が固定的に設置され、前記当接板と前記固定板の下端面との間には伸縮ばねが連結され、前記連結板と前記駆動チャンバの下端壁との間には連結ばねが連結され、前記駆動チャンバの右端壁には外部と連通している昇降溝が設置され、前記昇降溝の中には調節装置が設置され、前記調節装置は前記パイプの高度を調節でき、それにより手は大きさが異なっても熱風に吹かれることができ、前記押し板、前記連結板と前記当接板により密閉の空間が形成されることができることを特徴とするノートパソコン放熱器。
【請求項２】
前記冷却装置は前記伝動チャンバの下端壁と固定的に装着されるモータを含み、前記伝動チャンバの中には貫通軸が左右対称的に回転できるように連結され、その中に右端の前記貫通軸と前記モータとが連結され、前記貫通軸にはプーリが固定的に設置され、二つの前記プーリの間にはベルトが連結され、前記貫通軸が上へ伸びて前記伝動チャンバの上端壁を貫通して前記ファンチャンバの中に入っており、且つ前記ファンチャンバの下端壁と回転できるように連結され、前記貫通軸のうち前記ファンチャンバに位置している部分には熱風を吸い出せるファンが固定的に設置され、前記貫通軸の上端には前記ファンチャンバと固定的に連結されるフイルターが回転できるように連結され、使用する時に前記モータを始動し、それにより前記貫通軸、前記プーリと前記ファンを回転連動させ、熱風を前記フイルターを下へ吸い出すことを特徴とする請求項１に記載のノートパソコン放熱器。
【請求項３】
前記調節装置は前記パイプの一端と固定的に装着されるネジブロックを含み、前記ネジブロックと前記昇降溝とがスライドできるように連結され、前記ネジブロックの中には内チャンバが設置され、前記ネジブロックの右端には送風ヘッドが固定的に設置され、前記内チャンバの左端壁には前記パイプと連通している空気排出口が設置され、前記昇降溝の上下端壁には親ねじが回転できるように連結され、前記親ねじと前記ネジブロックとがネジ山により連結され、前記親ねじが上へ伸びて前記昇降溝の上端壁を貫通して外部空間に入っており、前記親ねじの上端にはつまみが固定的に連結され、前記つまみを回し、前記親ねじにより前記ネジブロックと前記送風ヘッドを連動させて上下に移動させ、それにより前記送風ヘッドの高度を調節することを特徴とする請求項１に記載のノートパソコン放熱器。
【発明の詳細な説明】
【技術分野】
【０００１】
本発明はパソコン用品分野に関わり、具体的にはノートパソコン放熱器である。
【背景技術】
【０００２】
日常生活において、ノートパソコンを使う場合が多く、冬では、天気が寒く、パソコンを操作する時に手がかじかみやすく、伝統的なパソコン放熱器は単純に空気を吸い込むことにより、パソコンの温度を下げ、それで大量の熱量が利用されないまま浪費されてしまうことになる。
【先行技術文献】
【特許文献】
【０００３】
【特許文献１】中国特許出願公開第１０２９５５５４４号明細書
【発明の概要】
【発明が解決しようとする課題】
【０００４】
本発明はノートパソコン放熱器を提供し、上記背景技術にある問題を解決することを目的とする。
【課題を解決するための手段】
【０００５】
上記の目的を実現するため、本発明は以下の技術プランを提供する：ノートパソコン放熱器であり、ノートパソコン放熱器はスタンドを含み、前記スタンドの左右両端には手温め器が対称的で固定的に連結され、前記スタンドの中には伝動チャンバが設置され、前記伝動チャンバの上端にはファンチャンバが左右対称的に設置され、前記ファンチャンバと前記伝動チャンバとの間には冷却装置が設置され、前記冷却装置はノートパソコンの温度を下げることができ、すべての前記ファンチャンバの下端にはいずれも空気室が設置され、前記空気室と前記ファンチャンバとの間には四つの連通溝が連結され、前記空気室の一つの端壁には前記スタンドを貫通しているダクトが設置され、前記手温め器の中には前記ダクトと連通している吸気口が設置され、前記吸気口の外周には電熱線が巻き付いており、前記吸気口の上端壁には駆動チャンバが設置され、前記駆動チャンバの中には押し板がスライドできるように連結され、前記押し板と前記駆動チャンバの上端壁との間には大ばねが連結され、前記押し板の下端面にはパイプが固定的に設置され、前記パイプの下端面には固定板が固定的に設置され、前記固定板の下端面には連結板が固定的に設置され、前記駆動チャンバの上端壁には前記連結板とスライドできるように連結される当接板が固定的に設置され、前記当接板と前記固定板の下端面との間には伸縮ばねが連結され、前記連結板と前記駆動チャンバの下端壁との間には連結ばねが連結され、前記駆動チャンバの右端壁には外部と連通している昇降溝が設置され、前記昇降溝の中には調節装置が設置され、前記調節装置は前記パイプの高度を調節でき、それにより手は大きさが異なっても熱風に吹かれることができ、前記押し板、前記連結板と前記当接板により密閉の空間が形成されることができる。
【０００６】
好ましくは、前記冷却装置は前記伝動チャンバの下端壁と固定的に装着されるモータを含み、前記伝動チャンバの中には貫通軸が左右対称的に回転できるように連結され、その中に右端の前記貫通軸と前記モータとが連結され、前記貫通軸にはプーリが固定的に設置され、二つの前記プーリの間にはベルトが連結され、前記貫通軸が上へ伸びて前記伝動チャンバの上端壁を貫通して前記ファンチャンバの中に入っており、且つ前記ファンチャンバの下端壁と回転できるように連結され、前記貫通軸のうち前記ファンチャンバに位置している部分には熱風を吸い出せるファンが固定的に設置され、前記貫通軸の上端には前記ファンチャンバと固定的に連結されるフイルターが回転できるように連結され、使用する時に前記モータを始動し、それにより前記貫通軸、前記プーリと前記ファンを回転連動させ、熱風を前記フイルターを下へ吸い出す。
【０００７】
好ましくは、前記調節装置は前記パイプの一端と固定的に装着されるネジブロックを含み、前記ネジブロックと前記昇降溝とがスライドできるように連結され、前記ネジブロックの中には内チャンバが設置され、前記ネジブロックの右端には送風ヘッドが固定的に設置され、前記内チャンバの左端壁には前記パイプと連通している空気排出口が設置され、前記昇降溝の上下端壁には親ねじが回転できるように連結され、前記親ねじと前記ネジブロックとがネジ山により連結され、前記親ねじが上へ伸びて前記昇降溝の上端壁を貫通して外部空間に入っており、前記親ねじの上端にはつまみが固定的に連結され、前記つまみを回し、前記親ねじにより前記ネジブロックと前記送風ヘッドを連動させて上下に移動させ、それにより前記送風ヘッドの高度を調節する。
【発明の効果】
【０００８】
以上により、本発明の有益な効果は：本装置はパソコンの温度を下げられると同時に、パソコンが生じた熱量を収集し、少し加熱して温かい風にし、それにより上記の手を温め、それで冬でパソコンを使う時に手が冷たく感じなく、また本装置はエネルギーを節約し、エネルギーを合理的に利用できる。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のノートパソコン放熱器全体断面の正面構成概略図
【図２】図２は本発明の下面図
【図３】図３は本発明の図２の中のＡ―Ａ方向の断面図
【図４】図４は本発明の手温め器の部分拡大図
【図５】図５は本発明の手温め器の側面全体の断面図
【図６】図６は本発明の図３の後端全体の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
図１〜６を参照し、本発明の実施例は：ノートパソコン放熱器であり、ノートパソコン放熱器はスタンド２１を含み、前記スタンド２１の左右両端には手温め器２４が対称的で固定的に連結され、前記スタンド２１の中には伝動チャンバ３０が設置され、前記伝動チャンバ３０の上端にはファンチャンバ２９が左右対称的に設置され、前記ファンチャンバ２９と前記伝動チャンバ３０との間には冷却装置１０１が設置され、前記冷却装置１０１はノートパソコンの温度を下げることができ、すべての前記ファンチャンバ２９の下端にはいずれも空気室２２が設置され、前記空気室２２と前記ファンチャンバ２９との間には四つの連通溝３４が連結され、前記空気室２２の一つの端壁には前記スタンド２１を貫通しているダクト２３が設置され、前記手温め器２４の中には前記ダクト２３と連通している吸気口４５が設置され、前記吸気口４５の外周には電熱線４４が巻き付いており、前記吸気口４５の上端壁には駆動チャンバ５２が設置され、前記駆動チャンバ５２の中には押し板３５がスライドできるように連結され、前記押し板３５と前記駆動チャンバの上端壁との間には大ばね３６が連結され、前記押し板３５の下端面にはパイプ４９が固定的に設置され、前記パイプ４９の下端面には固定板４８が固定的に設置され、前記固定板４８の下端面には連結板４７が固定的に設置され、前記駆動チャンバ５２の上端壁には前記連結板４７とスライドできるように連結される当接板５０が固定的に設置され、前記当接板５０と前記固定板４８の下端面との間には伸縮ばね４６が連結され、前記連結板４７と前記駆動チャンバ５２の下端壁との間には連結ばね５１が連結され、前記駆動チャンバ５２の右端壁には外部と連通している昇降溝４２が設置され、前記昇降溝４２の中には調節装置１０２が設置され、前記調節装置１０２は前記パイプ４９の高度を調節でき、それにより手は大きさが異なっても熱風に吹かれることができ、前記押し板３５、前記連結板４７と前記当接板５０により密閉の空間が形成されることができる。
【００１４】
前記冷却装置１０１は前記伝動チャンバ３０の下端壁と固定的に装着されるモータ３１を含み、前記伝動チャンバ３０の中には貫通軸３３が左右対称的に回転できるように連結され、その中に右端の前記貫通軸３３と前記モータ３１とが連結され、前記貫通軸３３にはプーリ２６が固定的に設置され、二つの前記プーリ２６の間にはベルト２８が連結され、前記貫通軸３３が上へ伸びて前記伝動チャンバ３０の上端壁を貫通して前記ファンチャンバ２９の中に入っており、且つ前記ファンチャンバ２９の下端壁と回転できるように連結され、前記貫通軸３３のうち前記ファンチャンバ２９に位置している部分には熱風を吸い出せるファン２５が固定的に設置され、前記貫通軸３３の上端には前記ファンチャンバ２９と固定的に連結されるフイルター２７が回転できるように連結され、使用する時に前記モータ３１を始動し、それにより前記貫通軸３３、前記プーリ２６と前記ファン２５を回転連動させ、熱風を前記フイルター２７を下へ吸い出す。
【００１５】
前記調節装置１０２は前記パイプ４９の一端と固定的に装着されるネジブロック３９を含み、前記ネジブロック３９と前記昇降溝４２とがスライドできるように連結され、前記ネジブロック３９の中には内チャンバ４０が設置され、前記ネジブロック３９の右端には送風ヘッド４１が固定的に設置され、前記内チャンバ４０の左端壁には前記パイプ４９と連通している空気排出口３８が設置され、前記昇降溝４２の上下端壁には親ねじ４３が回転できるように連結され、前記親ねじ４３と前記ネジブロック３９とがネジ山により連結され、前記親ねじ４３が上へ伸びて前記昇降溝４２の上端壁を貫通して外部空間に入っており、前記親ねじ４３の上端にはつまみ３７が固定的に連結され、前記つまみ３７を回し、前記親ねじ４３により前記ネジブロック３９と前記送風ヘッド４１を連動させて上下に移動させ、それにより前記送風ヘッド４１の高度を調節する。
【００１６】
使用する時、まずノートパソコンをスタンド２１の上端面に置き、その後つまみ３７を回し、親ねじ４３によりネジブロック３９と送風ヘッド４１を連動させて上下に移動させ、それにより送風ヘッド４１の高度を調節し、それにより手と送風ヘッド４１が同じ高度に位置し、その後でモータ３１と電熱線４４を開け、それにより貫通軸３３、プーリ２６とファン２５を回転連動させ、熱風をフイルター２７から下へ吸い出し、それにより熱風が連通溝３４から空気室２２に流れ込み、そしてダクト２３から吸気口４５に流れ込み、また電熱線４４により加熱され、熱風が温かい風になり、パイプ４９と送風ヘッド４１により、温かい風を手に吹き送る。
【００１７】
本発明の有益な効果は：本装置はパソコンの温度を下げられると同時に、パソコンが生じた熱量を収集し、少し加熱して温かい風にし、それにより上記の手を温め、それで冬でパソコンを使う時に手が冷たく感じなく、また本装置はエネルギーを節約し、エネルギーを合理的に利用できる。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は権力要求書に限定された保護範囲を基準とするべきである。
【図１】
2020184286.tif 000003
【図２】
2020184286.tif 000004
【図３】
2020184286.tif 000005
【図４】
2020184286.tif 000006
【図５】
2020184286.tif 000007
【図６】
2020184286.tif 000008
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
正面視で、スタンドを含み、前記スタンドの左右両端には手温め器が対称的で固定的に連結され、前記スタンドの中には伝動チャンバが設置され、前記伝動チャンバの上端にはファンチャンバが左右対称的に設置され、前記ファンチャンバと前記伝動チャンバとの間には冷却装置が設置され、前記冷却装置はノートパソコンの温度を下げることができ、すべての前記ファンチャンバの下端にはいずれも空気室が設置され、前記空気室と前記ファンチャンバとの間には四つの連通溝が連結され、前記空気室の一つの端壁には前記スタンドを貫通しているダクトが設置され、前記手温め器の中には前記ダクトと連通している吸気口が設置され、前記吸気口の外周には電熱線が巻き付いており、前記吸気口の上端壁には駆動チャンバが設置され、前記駆動チャンバの中には押し板がスライドできるように連結され、前記押し板と前記駆動チャンバの上端壁との間には大ばねが連結され、前記押し板の下端面にはパイプが固定的に設置され、前記パイプの下端面には固定板が固定的に設置され、前記固定板の下端面には連結板が固定的に設置され、前記駆動チャンバの中には前記連結板とスライドできるように連結される当接板が設置され、前記当接板と前記固定板の下端面との間には伸縮ばねが連結され、前記連結板と前記駆動チャンバの下端壁との間には連結ばねが連結され、前記駆動チャンバの右端壁には外部と連通している昇降溝が設置され、前記昇降溝の中には調節装置が設置され、前記調節装置は前記パイプの高度を調節でき、それにより手は大きさが異なっても熱風に吹かれることができ、前記押し板、前記連結板と前記当接板により密閉の空間が形成されることができることを特徴とするノートパソコン放熱器。
【請求項２】
前記冷却装置は前記伝動チャンバの下端壁と固定的に装着されるモータを含み、前記伝動チャンバの中には貫通軸が左右対称的に回転できるように連結され、その中に右端の前記貫通軸と前記モータとが連結され、前記貫通軸にはプーリが固定的に設置され、二つの前記プーリの間にはベルトが連結され、前記貫通軸が上へ伸びて前記伝動チャンバの上端壁を貫通して前記ファンチャンバの中に入っており、且つ前記ファンチャンバの下端壁と回転できるように連結され、前記貫通軸のうち前記ファンチャンバに位置している部分には熱風を吸い出せるファンが固定的に設置され、前記貫通軸の上端には前記ファンチャンバと固定的に連結されるフイルターが回転できるように連結され、使用する時に前記モータを始動し、それにより前記貫通軸、前記プーリと前記ファンを回転連動させ、熱風を前記フイルターを下へ吸い出すことを特徴とする請求項１に記載のノートパソコン放熱器。
【請求項３】
前記調節装置は前記パイプの一端と固定的に装着されるネジブロックを含み、前記ネジブロックと前記昇降溝とがスライドできるように連結され、前記ネジブロックの中には内チャンバが設置され、前記ネジブロックにおいて前記スタンドに近接している側には送風ヘッドが固定的に設置され、前記内チャンバにおいて前記スタンドから離れた側には前記パイプと連通している空気排出口が設置され、前記昇降溝の上下端壁には親ねじが回転できるように連結され、前記親ねじと前記ネジブロックとがネジ山により連結され、前記親ねじが上へ伸びて前記昇降溝の上端壁を貫通して外部空間に入っており、前記親ねじの上端にはつまみが固定的に連結され、前記つまみを回し、前記親ねじにより前記ネジブロックと前記送風ヘッドを連動させて上下に移動させ、それにより前記送風ヘッドの高度を調節することを特徴とする請求項１に記載のノートパソコン放熱器。
【手続補正２】
【補正対象書類名】明細書
【補正対象項目名】全文
【補正方法】変更
【補正の内容】
【発明の詳細な説明】
【技術分野】
【０００１】
本発明はパソコン用品分野に関わり、具体的にはノートパソコン放熱器である。
【背景技術】
【０００２】
日常生活において、ノートパソコンを使う場合が多く、冬では、天気が寒く、パソコンを操作する時に手がかじかみやすく、伝統的なパソコン放熱器は単純に空気を吸い込むことにより、パソコンの温度を下げ、それで大量の熱量が利用されないまま浪費されてしまうことになる。
【先行技術文献】
【特許文献】
【０００３】
【特許文献１】中国特許出願公開第１０２９５５５４４号明細書
【発明の概要】
【発明が解決しようとする課題】
【０００４】
本発明はノートパソコン放熱器を提供し、上記背景技術にある問題を解決することを目的とする。
【課題を解決するための手段】
【０００５】
上記の目的を実現するため、本発明は以下の技術プランを提供する：ノートパソコン放熱器であり、ノートパソコン放熱器はスタンドを含み、前記スタンドの左右両端には手温め器が対称的で固定的に連結され、前記スタンドの中には伝動チャンバが設置され、前記伝動チャンバの上端にはファンチャンバが左右対称的に設置され、前記ファンチャンバと前記伝動チャンバとの間には冷却装置が設置され、前記冷却装置はノートパソコンの温度を下げることができ、すべての前記ファンチャンバの下端にはいずれも空気室が設置され、前記空気室と前記ファンチャンバとの間には四つの連通溝が連結され、前記空気室の一つの端壁には前記スタンドを貫通しているダクトが設置され、前記手温め器の中には前記ダクトと連通している吸気口が設置され、前記吸気口の外周には電熱線が巻き付いており、前記吸気口の上端壁には駆動チャンバが設置され、前記駆動チャンバの中には押し板がスライドできるように連結され、前記押し板と前記駆動チャンバの上端壁との間には大ばねが連結され、前記押し板の下端面にはパイプが固定的に設置され、前記パイプの下端面には固定板が固定的に設置され、前記固定板の下端面には連結板が固定的に設置され、前記駆動チャンバの中には前記連結板とスライドできるように連結される当接板が設置され、前記当接板と前記固定板の下端面との間には伸縮ばねが連結され、前記連結板と前記駆動チャンバの下端壁との間には連結ばねが連結され、前記駆動チャンバの右端壁には外部と連通している昇降溝が設置され、前記昇降溝の中には調節装置が設置され、前記調節装置は前記パイプの高度を調節でき、それにより手は大きさが異なっても熱風に吹かれることができ、前記押し板、前記連結板と前記当接板により密閉の空間が形成されることができる。
【０００６】
好ましくは、前記冷却装置は前記伝動チャンバの下端壁と固定的に装着されるモータを含み、前記伝動チャンバの中には貫通軸が左右対称的に回転できるように連結され、その中に右端の前記貫通軸と前記モータとが連結され、前記貫通軸にはプーリが固定的に設置され、二つの前記プーリの間にはベルトが連結され、前記貫通軸が上へ伸びて前記伝動チャンバの上端壁を貫通して前記ファンチャンバの中に入っており、且つ前記ファンチャンバの下端壁と回転できるように連結され、前記貫通軸のうち前記ファンチャンバに位置している部分には熱風を吸い出せるファンが固定的に設置され、前記貫通軸の上端には前記ファンチャンバと固定的に連結されるフイルターが回転できるように連結され、使用する時に前記モータを始動し、それにより前記貫通軸、前記プーリと前記ファンを回転連動させ、熱風を前記フイルターを下へ吸い出す。
【０００７】
好ましくは、前記調節装置は前記パイプの一端と固定的に装着されるネジブロックを含み、前記ネジブロックと前記昇降溝とがスライドできるように連結され、前記ネジブロックの中には内チャンバが設置され、前記ネジブロックにおいて前記スタンドに近接している側には送風ヘッドが固定的に設置され、前記内チャンバにおいて前記スタンドから離れた側には前記パイプと連通している空気排出口が設置され、前記昇降溝の上下端壁には親ねじが回転できるように連結され、前記親ねじと前記ネジブロックとがネジ山により連結され、前記親ねじが上へ伸びて前記昇降溝の上端壁を貫通して外部空間に入っており、前記親ねじの上端にはつまみが固定的に連結され、前記つまみを回し、前記親ねじにより前記ネジブロックと前記送風ヘッドを連動させて上下に移動させ、それにより前記送風ヘッドの高度を調節する。
【発明の効果】
【０００８】
以上により、本発明の有益な効果は：本装置はパソコンの温度を下げられると同時に、パソコンが生じた熱量を収集し、少し加熱して温かい風にし、それにより上記の手を温め、それで冬でパソコンを使う時に手が冷たく感じなく、また本装置はエネルギーを節約し、エネルギーを合理的に利用できる。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のノートパソコン放熱器全体断面の正面構成概略図
【図２】図２は本発明の下面図
【図３】図３は本発明の図２の中のＡ―Ａ方向の断面図
【図４】図４は本発明の手温め器の部分拡大図
【図５】図５は本発明の手温め器の側面全体の断面図
【図６】図６は本発明の図３の後端全体の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
図１〜６を参照し、本発明の実施例は：ノートパソコン放熱器であり、ノートパソコン放熱器はスタンド２１を含み、前記スタンド２１の左右両端には手温め器２４が対称的で固定的に連結され、前記スタンド２１の中には伝動チャンバ３０が設置され、前記伝動チャンバ３０の上端にはファンチャンバ２９が左右対称的に設置され、前記ファンチャンバ２９と前記伝動チャンバ３０との間には冷却装置１０１が設置され、前記冷却装置１０１はノートパソコンの温度を下げることができ、すべての前記ファンチャンバ２９の下端にはいずれも空気室２２が設置され、前記空気室２２と前記ファンチャンバ２９との間には四つの連通溝３４が連結され、前記空気室２２の一つの端壁には前記スタンド２１を貫通しているダクト２３が設置され、前記手温め器２４の中には前記ダクト２３と連通している吸気口４５が設置され、前記吸気口４５の外周には電熱線４４が巻き付いており、前記吸気口４５の上端壁には駆動チャンバ５２が設置され、前記駆動チャンバ５２の中には押し板３５がスライドできるように連結され、前記押し板３５と前記駆動チャンバの上端壁との間には大ばね３６が連結され、前記押し板３５の下端面にはパイプ４９が固定的に設置され、前記パイプ４９の下端面には固定板４８が固定的に設置され、前記固定板４８の下端面には連結板４７が固定的に設置され、前記駆動チャンバ５２の中には前記連結板４７とスライドできるように連結される当接板５０が設置され、前記当接板５０と前記固定板４８の下端面との間には伸縮ばね４６が連結され、前記連結板４７と前記駆動チャンバ５２の下端壁との間には連結ばね５１が連結され、前記駆動チャンバ５２の右端壁には外部と連通している昇降溝４２が設置され、前記昇降溝４２の中には調節装置１０２が設置され、前記調節装置１０２は前記パイプ４９の高度を調節でき、それにより手は大きさが異なっても熱風に吹かれることができ、前記押し板３５、前記連結板４７と前記当接板５０により密閉の空間が形成されることができる。
【００１４】
前記冷却装置１０１は前記伝動チャンバ３０の下端壁と固定的に装着されるモータ３１を含み、前記伝動チャンバ３０の中には貫通軸３３が左右対称的に回転できるように連結され、その中に右端の前記貫通軸３３と前記モータ３１とが連結され、前記貫通軸３３にはプーリ２６が固定的に設置され、二つの前記プーリ２６の間にはベルト２８が連結され、前記貫通軸３３が上へ伸びて前記伝動チャンバ３０の上端壁を貫通して前記ファンチャンバ２９の中に入っており、且つ前記ファンチャンバ２９の下端壁と回転できるように連結され、前記貫通軸３３のうち前記ファンチャンバ２９に位置している部分には熱風を吸い出せるファン２５が固定的に設置され、前記貫通軸３３の上端には前記ファンチャンバ２９と固定的に連結されるフイルター２７が回転できるように連結され、使用する時に前記モータ３１を始動し、それにより前記貫通軸３３、前記プーリ２６と前記ファン２５を回転連動させ、熱風を前記フイルター２７を下へ吸い出す。
【００１５】
前記調節装置１０２は前記パイプ４９の一端と固定的に装着されるネジブロック３９を含み、前記ネジブロック３９と前記昇降溝４２とがスライドできるように連結され、前記ネジブロック３９の中には内チャンバ４０が設置され、前記ネジブロック３９において前記スタンド２１に近接している側には送風ヘッド４１が固定的に設置され、前記内チャンバ４０において前記スタンド２１から離れた側には前記パイプ４９と連通している空気排出口３８が設置され、前記昇降溝４２の上下端壁には親ねじ４３が回転できるように連結され、前記親ねじ４３と前記ネジブロック３９とがネジ山により連結され、前記親ねじ４３が上へ伸びて前記昇降溝４２の上端壁を貫通して外部空間に入っており、前記親ねじ４３の上端にはつまみ３７が固定的に連結され、前記つまみ３７を回し、前記親ねじ４３により前記ネジブロック３９と前記送風ヘッド４１を連動させて上下に移動させ、それにより前記送風ヘッド４１の高度を調節する。
【００１６】
使用する時、まずノートパソコンをスタンド２１の上端面に置き、その後つまみ３７を回し、親ねじ４３によりネジブロック３９と送風ヘッド４１を連動させて上下に移動させ、それにより送風ヘッド４１の高度を調節し、それにより手と送風ヘッド４１が同じ高度に位置し、その後でモータ３１と電熱線４４を開け、それにより貫通軸３３、プーリ２６とファン２５を回転連動させ、熱風をフイルター２７から下へ吸い出し、それにより熱風が連通溝３４から空気室２２に流れ込み、そしてダクト２３から吸気口４５に流れ込み、また電熱線４４により加熱され、熱風が温かい風になり、パイプ４９と送風ヘッド４１により、温かい風を手に吹き送る。
【００１７】
本発明の有益な効果は：本装置はパソコンの温度を下げられると同時に、パソコンが生じた熱量を収集し、少し加熱して温かい風にし、それにより上記の手を温め、それで冬でパソコンを使う時に手が冷たく感じなく、また本装置はエネルギーを節約し、エネルギーを合理的に利用できる。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は権力要求書に限定された保護範囲を基準とするべきである。